(57)【特許請求の範囲】
【請求項１】
河川の上流側から流れ込む土石流の越流を阻止する一対の非越流部と、
前記非越流部の間に設けられ、流水を透過する透過部と、
前記非越流部の、前記河川の岸に隣接する袖部における上流側及び下流側を臨む面に設けられた人工地山と、を備え、
前記非越流部の袖部は、前記河川の岸に埋設されておらず、前記岸の表面に沿って当該岸に接して延びており、
前記人工地山は、前記岸と前記袖部とにより形成された角隅部に設けられ、少なくとも前記河川を臨む外面を覆う保護壁部を有することを特徴とする砂防堰堤。
【請求項２】
河川の上流側から流れ込む土石流の越流を阻止する非越流部と、
前記非越流部の、前記河川の岸に隣接する袖部における上流側及び下流側を臨む面に設けられた人工地山と、を備え、
前記非越流部の袖部は、前記河川の岸に埋設されておらず、前記岸の表面に沿って当該岸に接して延びており、
前記人工地山は、前記岸と前記袖部とにより形成された角隅部に設けられ、少なくとも前記河川を臨む外面を覆う保護壁部を有することを特徴とする砂防堰堤。
【請求項３】
前記非越流部の前記河川に臨む壁を部分的に前記人工地山で構築することを特徴とする請求項１又は２に記載の砂防堰堤。
【請求項４】
前記非越流部は、河川の上流側に対向するように設けられる上流壁部と、河川の下流側に対向するように設けられる下流壁部とを備え、
前記人工地山は、前記上流壁部と前記下流壁部との間に形成された空間に充填される中詰材と同じ材料により形成されていることを特徴とする請求項１から３までのいずれか一項に記載の砂防堰堤。
【請求項５】
前記人工地山は段状に形成されていることを特徴とする請求項１から４までのいずれか一項に記載の砂防堰堤。
【発明の詳細な説明】
【技術分野】
【０００１】
本発明は、砂防堰堤に関する。
【背景技術】
【０００２】
山岳地等において、土砂災害防止のための建造物として、砂防堰堤が知られている。
近年、砂防堰堤の中央部分に開口部を設け、この開口部に鋼製の格子状の柵体を設けることで、土石流が発生した場合に、巨大な岩石や流木を柵体で捕捉し、土砂や水を通過させる透過型の砂防堰堤が考案されている（例えば、特許文献１参照）。
特許文献１に示すような透過型の砂防堰堤においては、一対の非越流部の間に透過部としての柵体が設けられている。非越流部は、鋼板やコンクリート製のパネルで外壁を構築し、その内部にソイルセメント等を充填することにより構築される。
図８に示すように、従来の砂防堰堤６００においては、土石流や洪水が発生した際に河川の岸に隣接している袖部の破損を防ぐために、非越流部６１０ａ，６１０ｂの袖部（岸側の端部）を所定の深さ地山に嵌入している（図８においては破線で示す）。砂防堰堤６００の施工に際しては、非越流部６１０ａ，６１０ｂの袖部を地山に嵌入するために地山を掘削し、非越流部６１０ａ，６１０ｂの施工後に、非越流部６１０ａ，６１０ｂと地山との間を砂礫やコンクリートで埋め戻している。
【先行技術文献】
【特許文献】
【０００３】
【特許文献１】特開２０１３−１１７１１８号公報
【発明の概要】
【発明が解決しようとする課題】
【０００４】
しかし、図８に示すような砂防堰堤６００においては、確かに、砂防堰堤６００の袖部における破損を防ぐことはできているが、袖部を地山に嵌入するために両岸の地山を掘削する必要があり、さらに砂防堰堤６００自体も、地山に嵌入する分だけ長手方向に大きく構築する必要がある。また、砂防堰堤６００の施工区域が常に、施工にとって良好な地形であるとは限らず、例えば狭隘な地形に砂防堰堤６００を施工する場合には、長大な法面を掘削する必要があるため、施工時における斜面崩落に対する安全性や自然環境、景観に対する影響等の問題が発生するとともに、施工に手間がかかり、施工コストの低減が困難である。
【０００５】
そこで、本発明は、上記問題に鑑みてなされたものであり、必要な強度を確保しつつ、施工時の安全性や自然環境、景観の確保及び施工の手間、施工コストの低減を図ることができる砂防堰堤を提供することを目的とする。
【課題を解決するための手段】
【０００６】
上記課題を解決するために、本発明は、河川の上流側から流れ込む土石流の越流を阻止する一対の非越流部と、前記非越流部の間に設けられ、流水を透過する透過部と、前記非越流部の、前記河川の地山に隣接する袖部における上流側及び下流側を臨む面に設けられた人工地山とを備え、前記人工地山は、少なくとも前記河川を臨む外面を覆う保護壁部を有することを特徴とする。
【０００７】
さらに、上記課題を解決するために、本発明は、河川の上流側から流れ込む土石流の越流を阻止する非越流部と、前記非越流部の、前記河川の地山に隣接する袖部における上流側及び下流側を臨む面に設けられた人工地山と、を備え、前記人工地山は、少なくとも前
記河川を臨む外面を覆う保護壁部を有することを特徴とする。
【０００８】
また、前記非越流部の前記河川に臨む壁を部分的に前記人工地山で構築する。
【０００９】
また、前記非越流部は、河川の上流側に対向するように設けられる上流壁部と、河川の下流側に対向するように設けられる下流壁部とを備え、前記人工地山は、前記上流壁部と前記下流壁部との間に形成された空間に充填された中詰材と同じ材料により形成されている。
【００１０】
また、前記人工地山は段状に形成されている。
【発明の効果】
【００１１】
本発明によれば、施工時の安全性や自然環境、景観の確保並びに砂防堰堤の施工の手間及び施工コストの低減を図ることができる。
【図面の簡単な説明】
【００１２】
【図１】本発明の第１の実施の形態に係る砂防堰堤の斜視図である。
【図２】（ａ）は、保護壁部がない人工地山を備える砂防堰堤の概略的な正面図であり、（ｂ）は、保護壁部を有する人工地山を備える砂防堰堤の概略的な正面図である。
【図３】（ａ）は、従来の砂防堰堤の袖部における水の浸透経路を説明する非越流部の概略的な横断面図であり、（ｂ）は、第１の実施の形態に係る砂防堰堤における水の浸透経路を説明する非越流部の概略的な横断面図である。
【図４】本発明の第２の実施の形態に係る砂防堰堤の斜視図である。
【図５】本発明の第３の実施の形態に係る砂防堰堤の斜視図である。
【図６】本発明に係る第４の実施の形態に係る砂防堰堤の斜視図である。
【図７】本発明に係る砂防堰堤の変形例の斜視図である。
【図８】従来の砂防堰堤の斜視図である。
【発明を実施するための形態】
【００１３】
本発明の好ましい実施の形態について、図面を参照しながら説明する。なお、以下に示す実施の形態は一つの例示であり、本発明の範囲において、種々の形態をとりうる。
【００１４】
１．第１の実施の形態
［砂防堰堤の構造］
図１、図２及び図３に基づいて、砂防堰堤の第１の実施の形態について説明する。図１は、第１の実施の形態に係る段状の人工地山３０を備える砂防堰堤１００を上流から見た斜視図である。図２は、人工地山３０の形状について説明するための砂防堰堤１００の概略的な正面図である。図３は水の浸透経路について説明するための、砂防堰堤１００における袖部の概略的な横断面図である。
【００１５】
図１に示すように、砂防堰堤１００は、基礎コンクリート１１ａ上に設置された非越流部１０ａと、基礎コンクリート１１ｂ上に設置された非越流部１０ｂと、非越流部１０ａと非越流部１０ｂとの間に形成された透過部２０と、非越流部１０ａ，１０ｂの、河川の岸に隣接する袖部における上流側及び下流側を臨む面に設けられた人工地山３０ａ，３０ｂ，３０ｃ，３０ｄと、を備えている。
【００１６】
＜非越流部＞
一対の非越流部１０ａ，１０ｂは、河川の上流側から流れ込む土石流の越流を阻止するものであり、上流壁部１ａ，１ｂと、下流壁部２ａ，２ｂと、側壁部３ａ，３ｂと、湾曲壁部４ａ，４ｂと、中詰材５と、天端保護材６ａ，６ｂとを備えている。
【００１７】
（上流壁部）
上流壁部１ａ，１ｂは、河川の上流に面しており、上流からの流水、土石流の衝撃を受け止める壁部であり、袖部において河川の岸に隣接している。ここで、「河川の岸に隣接している」とは、上流壁部１ａ，１ｂの袖部が、河川の岸の地盤線に沿うようにして岸に連なっていることを意味する。つまり、砂防堰堤１００は、図８に示す従来の砂防堰堤６００のように、袖部が河川の岸の地盤に埋設されていない。袖部が埋設されていない構成により、砂防堰堤１００の施工時に、河川の岸を掘削する必要がなくなる。
上流壁部１ａ，１ｂは、断面が波形状に形成された矩形板状の鋼板パネルを複数枚連結することによって構築されている。鋼板パネルは、鋼板、該鋼板の周縁に沿って設置された補強リブ、相互の接続に供するためのフランジ等を有しており、フランジには相互の接続に供するボルト貫通孔が形成されている。鋼板パネル同士は、ボルト及びナットで連結されており、その繋ぎ目にはシールテープ等が貼り付けられて止水されていてもよい。上流壁部１ａ，１ｂを構成する鋼板パネルは、それぞれが波形状に形成されているものの、壁部全体として見た際に略平面状に形成されている。上流壁部１ａ，１ｂは、上端から下端に向かうにつれて上流側に向けて下方に傾斜する法面が形成されるように構築されている。
また、隣接する鋼板パネルの間には、後述する人工地山３０ａ，３０ｂの保護壁部３１ａ，３１ｂとの連結用の連結片が、人工地山３０ａ，３０ｂの設置箇所に合わせて挟み込まれている。
【００１８】
（下流壁部）
下流壁部２ａ，２ｂは、河川の下流に面しており、上流壁部１ａ，１ｂから所定の間隔をあけて配置されていて、袖部において河川の岸に隣接している。ここで、「河川の岸に隣接している」とは、下流壁部２ａ，２ｂの袖部が、河川の岸の地盤線に沿うようにして岸に連なっていることを意味する。つまり、砂防堰堤１００は、図８に示すような従来の砂防堰堤６００のように、袖部が河川の両岸に埋設されていない。
下流壁部２ａ，２ｂは、断面が波形状に形成された矩形板状の鋼板パネルを複数枚連結することによって構築されている。鋼板パネルは、鋼板、該鋼板の周縁に沿って設置された補強リブ、相互の接続に供するためのフランジ等を有しており、フランジには相互の接続に供するボルト貫通孔が形成されている。鋼板パネル同士は、ボルト及びナットで連結されており、その繋ぎ目にはシールテープ等が貼り付けられて止水されていてもよい。下流壁部２ａ，２ｂを構成する鋼板パネルは、それぞれが波形状に形成されているものの、壁部全体として見た際に略平面状に形成されている。下流壁部２ａ，２ｂは、上端から下端に向かうにつれて下流側に向けて下方に傾斜するように構築されている。なお、下流壁部２ａ，２ｂは、鋼板パネルに代えてコンクリートパネルを用いてもよい。
また、下流壁部２ａ，２ｂを構成する隣接する鋼板パネル同士の間には、後述する人工地山３０ｃ，３０ｄの保護壁部３１ｃ，３１ｄとの連結用の連結片が、人工地山３０ｃ，３０ｄの設置箇所に合わせて挟み込まれて設けられている。
【００１９】
（側壁部）
側壁部３ａ，３ｂは、透過部２０に面しており、下流壁部２ａ，２ｂの透過部２０側の端部に連続するように設けられている。側壁部３ａ，３ｂは、断面が波形状に形成された矩形板状の鋼板パネルを複数枚連結することによって構築されている。鋼板パネルは、鋼板、該鋼板の周縁に沿って設置された補強リブ、相互の接続に供するためのフランジ等を有しており、フランジには相互の接続に供するボルト貫通孔が形成されている。鋼板パネル同士は、ボルト及びナットで連結されており、その繋ぎ目にはシールテープ等が貼り付けられて止水されていてもよい。側壁部３ａ，３ｂを構成する鋼板パネルは、それぞれが波形状に形成されているものの、壁部全体として見た際に略平面状に形成されている。側壁部３ａ，３ｂは、基礎コンクリート１１ａ，１１ｂの上面に直立するように構築されて
いる。
【００２０】
（湾曲壁部）
湾曲壁部４ａ，４ｂは、上流壁部１ａ，１ｂにおける透過部２０側の端部と側壁部３ａ，３ｂにおける上流側の端部とに連続する壁部であり、少なくとも一部が曲面状に形成されている。
湾曲壁部４ａ，４ｂは、少なくとも一部（非越流部の上流側角部）に法面に対して直角方向の断面が中心角９０°の円弧状に形成された鋼板パネルを複数枚連結することによって構築されている。湾曲壁部４ａ，４ｂの湾曲面は中心角が９０°の円周面を形成している。湾曲壁部４ａ，４ｂを形成する鋼板パネルは、鋼板と、該鋼板の周縁に沿って設置された補強リブや相互の接続に供するためのフランジとを有し、鉛直方向に配置される一対のフランジは直線状の板材で、水平方向に配置される一対のフランジは平面視で円弧状の板材である。また、フランジには相互の接続に供するボルト貫通孔が形成されている。
湾曲壁部４ａ，４ｂは、その表面が湾曲面を有しているので、巨大な岩石や流木等が衝突した際、損傷しにくくなっており、流下する土石流等が透過部２０に流入する際、渦状の流れが発生しにくくなっている。
【００２１】
湾曲壁部は、上端から下端に向かうにつれて上流側に向けて下方に傾斜する法面が形成されるように構築されている。
ここで、湾曲壁部４ａ，４ｂの上端に配置される鋼板パネルの上端は、非越流部１０ａ，１０ｂの天端に沿って切り取られている。湾曲壁部４ａ，４ｂの下端に配置される鋼板パネルの下端は、非越流部１０ａ，１０ｂの底面に沿って切り取られている。
【００２２】
（中詰材）
中詰材５は、基礎コンクリート１１ａ，１１ｂ及び基礎コンクリート２１（後述する）を設置する際に発生した現地発生土砂と、セメント・セメントミルクとを撹拌・混練して製造したソイルセメントであり、上流壁部１ａ，１ｂ、下流壁部２ａ，２ｂ、側壁部３ａ，３ｂ及び湾曲壁部４ａ，４ｂによって囲まれた空間内に打設される。中詰材５の固化により、中詰材５の重量で土石流の衝撃を受け止める。
また、中詰材５は、各壁部１ａ，１ｂ，２ａ，２ｂ，３ａ，３ｂ及び４ａ，４ｂの内面に沿って充填されるため、固化した際に、上流壁部１ａ，１ｂ及び湾曲壁部４ａ，４ｂの内面に沿って形成される上流側の面が、上端から下端に向かうにつれて上流側に向けて下方に傾斜する法面が形成される。
【００２３】
（天端保護材）
天端保護材６ａ，６ｂは、各壁部１ａ，１ｂ，２ａ，２ｂ，３ａ，３ｂ及び４ａ，４ｂによって囲まれた空間内に打設された中詰材５の上面を覆うものであって、コンクリートで形成されている。天端保護材６ａ，６ｂは、中詰材５の保護層（水の遮断層）として機能している。
【００２４】
＜透過部＞
図１に示すように、透過部２０は、非越流部１０ａと非越流部１０ｂとの間に設けられ、流水を透過するものである。
透過部２０は、河川の底部に設けられた基礎コンクリート２１と、基礎コンクリート２１に設置された鋼製またはコンクリート製の柱体を組み立てた柵体２２と、を備えている。透過部２０は、柵体２２が、河川の流水や小さな土砂を通過させ、土石流の発生時に巨大な岩石や流木を捕捉する。
【００２５】
＜人工地山＞
人工地山３０ａ，３０ｂ，３０ｃ，３０ｄは、河川の岸に隣接する上流壁部１ａ，１ｂ
及び下流壁部２ａ，２ｂの袖部に設けられ、袖部を地盤に埋設しなくとも根入れの機能を提供するものであり、保護壁部３１ａ，３１ｂ，３１ｃ，３１ｄと、中詰材３２ａ，３２ｂ，３２ｃ，３２ｄとを用いて構築されている。
人工地山３０ａ，３０ｂ，３０ｃ，３０ｄは、上流壁部１ａ，１ｂ及び下流壁部２ａ，２ｂと岸との間に形成される角隅部に構築されている。より具体的には、上流壁部１ａの袖部と岸とにより形成される角隅部に人工地山３０ａが形成され、上流壁部１ｂの袖部と岸とにより形成される角隅部に人工地山３０ｂが形成され、下流壁部２ａの袖部と岸とにより形成される角隅部に人工地山３０ｃが形成され、下流壁部２ｂの袖部と岸とにより形成される角隅部に人工地山３０ｄが形成される。
図１に示すように、各人工地山３０ａ，３０ｂ，３０ｃ，３０ｄは、保護壁部３１ａ，３１ｂ，３１ｃ，３１ｄによって形成される外面が河川の岸に沿って延び、その途中で折れ曲がって河川の岸に向かうように延びている。また、各人工地山３０ａ，３０ｂ，３０ｃ，３０ｄは、河川の底部から上方に向かって段状に形成されており、各壁部１ａ，１ｂ，２ａ，２ｂにおいて所定の高さまで積み上げられている。
【００２６】
（保護壁部）
各段部の保護壁部３１ａ，３１ｂ，３１ｃ，３１ｄは、非越流部１０ａ，１０ｂの上流壁部１ａ，１ｂ及び下流壁部２ａ，２ｂと河川の岸の地盤面とともに、後述する中詰材３２ａ，３２ｂ，３２ｃ，３２ｄが打設される空間を画成し、河川を臨む人工地山３０ａ，３０ｂ，３０ｃ，３０ｄの外面、より具体的には中詰材３２ａ，３２ｂ，３２ｃ，３２ｄの外面を覆う壁部である。
保護壁部３１ａ，３１ｂ，３１ｃ，３１ｄは、複数の鋼板パネルを連結することによって構築されている。保護壁部３１ａ，３１ｂにおける上流壁部１ａ，１ｂに連結される一端には、上流壁部１ａ，１ｂに連結するための連結片が設けられており、保護壁部３１ｃ，３１ｄにおける下流壁部２ａ，２ｂに連結される一端には、下流壁部２ａ，２ｂに連結するための連結片が設けられている。各連結片には、上流壁部１ａ，１ｂ及び下流壁部２ａ，２ｂをそれぞれ構築する、互いに連結された鋼板パネル同士の間から突出している連結片との接続に供するボルト貫通孔が形成されている。保護壁部３１ａ，３１ｂ，３１ｃ，３１ｄの他端は、河川の岸の表面に沿った形状となるように形成されている。
なお、人工地山３０ａ，３０ｂ，３０ｃ，３０ｄの上端面においてソイルセメントは露出しているが、それぞれ保護壁部３１ａ，３１ｂ，３１ｃ，３１ｄによって覆われていてもよい。
【００２７】
（中詰材）
中詰材３２ａ，３２ｂ，３２ｃ，３２ｄは、基礎コンクリート１１ａ，１１ｂ及び基礎コンクリート２１を設置する際に発生した現地発生土砂と、セメント・セメントミルクとを撹拌・混練して製造したソイルセメントであり、保護壁部３１ａ，３１ｂと上流壁部１ａ，１ｂとによって囲まれた空間内に打設され、また、保護壁部３１ｃ，３１ｄと下流壁部２ａ，２ｂとによって囲まれた空間内に打設される。
なお、中詰材３２ａ，３２ｂ，３２ｃ，３２ｄは、非越流部１０ａ，１０ｂを構築する際の中詰材５と同じ材料でも異なる材料であってもよい。
【００２８】
ここで、図２（ａ）、図２（ｂ）を用いて、保護壁部を有していない人工地山を備える砂防堰堤１００Ａと、保護壁部を有する人工地山を備える砂防堰堤１００との比較について説明する。
なお、図２（ａ）、図２（ｂ）においては、上流側から見た砂防堰堤１００Ａ，１００を描くため、人工地山については、上流側に構築されているもののみ描いて、説明する。
図２（ａ）に示すように、保護壁部を有していない人工地山１３０ａ，１３０ｂを構築した場合、砂防堰堤１００Ａに一定の強度を持たせるため、人工地山１３０ａ，１３０ｂの法面を緩くして人工地山１３０ａ，１３０ｂの体積を大きくする必要がある。
これに対して、図２（ｂ）に示すように、保護壁部３１ａ，３１ｂを有する人工地山３０ａ，３０ｂの場合には、保護壁部３１ａ，３１ｂにある程度の強度を持たせることができるので、人工地山３０ａ，３０ｂの体積をそれほど大きくする必要がない。
これにより、両岸に設けられた人工地山３０ａ，３０ｂの間に確保される、土石流を捕捉する貯砂空間Ｓ１は、図２（ａ）に示す両岸に設けられた人工地山１３０ａ，１３０ｂの間に確保される貯砂空間Ｓ２と比べて広大であり、砂防堰堤としての機能を高めることができる。
【００２９】
次に、図３（ａ）、図３（ｂ）を用いて、河川の流水の浸透量を抑制する際に重要な要因となる浸透経路の長さについて、従来の砂防堰堤６００と本実施の形態の砂防堰堤１００とを比較しながら説明する。
図３（ａ）に示すように、従来の砂防堰堤６００の非越流部６１０ｂの袖部における浸透経路Ｒ１は、非越流部６１０ｂの袖部を河川の岸の地盤に埋設した部分と、掘削されて埋め戻された地盤との間に形成されている。ここで、袖部と埋め戻された地盤とが接する３つの領域をａ，ｂ，ｃとし、各領域ａ，ｂ，ｃの長さをそれぞれＸとすると、従来の砂防堰堤６００における浸透経路Ｒ１の長さは３Ｘとなる。
これに対して、図３（ｂ）に示すように、砂防堰堤１００においては、上流壁部１ｂ側及び下流壁部２ｂ側の人工地山３０ｂ，３０ｄの、岸の地盤と接する領域をＡ，Ｂ、非越流部１０ｂの上流側を向く面と人工地山３０ｂとが接触する領域をＣ、下流側を向く面と人工地山３０ｄとが接触する領域をＤ、並びに非越流部１０ｂの岸側を向く袖部の面と地盤とが接触する領域をＥとすると、砂防堰堤１００においては、領域Ａ→Ｅ→Ｂ、領域Ａ→Ｅ→Ｄ、領域Ｃ→Ｅ→Ｂ及び領域Ｃ→Ｅ→Ｄを通る４つの浸透経路Ｒ２が形成されている。各領域Ａ〜Ｅの長さをＸとすると、全ての浸透経路Ｒ２においても３Ｘの長さが確保される。
つまり、砂防堰堤１００においては、非越流部１０ｂの袖部を地盤に嵌入しなくても、袖部を埋設した場合と同じ浸透経路の長さを確保することができる。
なお、本実施の形態は透過部２０を有する砂防堰堤のため、土石流の流水が上流側に滞留することなく、下流側へ比較的早期に流下する。従って、流水滞留による圧力は低く抑制される。これにより袖部は地盤嵌入による固定を必要とせず浸透経路Ｒ２の必要な長さを確保していれば地盤と砂防堰堤１００本体との間の崩壊も生じない。
【００３０】
図１に示す砂防堰堤１００においては、上流壁部１ａ，１ｂ及び下流壁部２ａ，２ｂが河川の岸の地盤に埋設されておらず、人工地山３０ａ，３０ｂ，３０ｃ，３０ｄの内部には非越流部１０ａ，１０ｂの各壁部の鋼板パネルが位置しているため、保護壁部３１ａ，３１ｂ，３１ｃ，３１ｄの鋼板パネルの強度は、非越流部１０ａ，１０ｂの各壁部の鋼板パネルと同じ強度でなくても非越流部１０ａ，１０ｂにおける必要な強度は確保されている。ただし、保護壁部３１ａ，３１ｂ，３１ｃ，３１ｄを非越流部１０ａ，１０ｂの各壁部の鋼板パネルと同じ構成とした場合には、砂防堰堤１００全体の強度が向上するのでより好ましい。
【００３１】
［砂防堰堤の施工方法］
次に、砂防堰堤の施工方法について説明する。
最初に、砂防堰堤１００の施工位置に、非越流部１０ａ，１０ｂのための基礎コンクリート１１ａ，１１ｂを打設する（ステップＳ１）。
次に、基礎コンクリート１１ａ，１１ｂ上に上流壁部１ａ，１ｂ、下流壁部２ａ，２ｂ、側壁部３ａ，３ｂ、湾曲壁部４ａ，４ｂを構築する（ステップＳ２）。ここで、各壁部の施工順序は任意であり、どの壁部を先に構築してもよいし、同時に行ってもよい。
ここで、上流壁部１ａ，１ｂは、上端から下端に向かうにつれて上流側に向けて下方に傾斜するように複数枚の鋼板パネルを基礎コンクリート１１ａ，１１ｂの上面に対して傾斜させた状態で連結して構築する。すなわち、非越流部１０ａ，１０ｂの施工完了時に上
流壁部１ａ，１ｂは法面を有することになる。
下流壁部２ａ，２ｂは、上端から下端に向かうにつれて下流側に向けて下方に傾斜するように複数枚の鋼板パネルを基礎コンクリート１１ａ，１１ｂの上面に対して傾斜させた状態で連結して構築する。すなわち、非越流部１０ａ，１０ｂの施工完了時に下流壁部２ａ，２ｂは法面を有することになる。
側壁部３ａ，３ｂは、基礎コンクリート１１ａ，１１ｂの上面に対して直立するように複数枚の鋼板パネルを連結して構築する。
湾曲壁部４ａ，４ｂは、上端から下端に向かうにつれて上流側に向けて下方に傾斜するように複数枚の鋼板パネルを連結して構築する。すなわち、非越流部１０ａ，１０ｂの施工完了時に湾曲壁部４ａ，４ｂは法面を有することになる。
湾曲壁部４ａ，４ｂは、中心角が９０°の円弧状断面を有する複数枚の鋼板パネルを法面の勾配に沿って積み重ねていくことにより形成される。すなわち、鋼板パネルの平行な上縁と下縁が、形成される法面に対して直角をなすように鋼板パネルを傾けた状態で積み重ねていく。
【００３２】
次に、各壁部によって囲まれた空間内に中詰材５を充填する（ステップＳ３）。上述したように、中詰材５は、砂防堰堤１００の施工現場で発生した現場発生土砂にセメント・セメントミルクを加えて混練したソイルセメントである。
中詰材５が固化した後、その天端面（各壁部によって覆われていない部分）に天端保護材６ａ，６ｂとしてコンクリートを打設する（ステップＳ４）。ここで、天端保護材６ａ，６ｂは、現場でコンクリートを打設してもよいし、予め作製されたコンクリートパネルを敷き詰めて互いに連結してもよい。
ステップＳ１からＳ４により、非越流部１０ａ，１０ｂが完成する。
次に、非越流部１０ａと非越流部１０ｂとの間に、基礎１次コンクリート２１を打設する（ステップＳ５）。
次に、コンクリート柱又は鋼柱を格子状に組み上げた柵体２２を基礎１次コンクリート２１上に設置する（ステップＳ６）。
次に、柵体２２の下部を埋設するように基礎２次コンクリート２１を所定の高さまで打設する（ステップＳ７）。
ステップＳ５からＳ７により、透過部２０が完成する。
なお、透過部２０は、非越流部１０ａ，１０ｂの施工後ではなく、非越流部１０ａ，１０ｂの施工前、非越流部１０ａ，１０ｂの施工と同時に施工してもよい。
【００３３】
次に、人工地山３０ａ，３０ｂ，３０ｃ，３０ｄを非越流部１０ａ，１０ｂの上流側及び下流側の袖部に構築する（ステップＳ８）。上流側の袖部及び下流側の袖部における人工地山３０ａ，３０ｂ，３０ｃ，３０ｄの施工順序は任意であり、どの人工地山を先に構築してもよいし、同時に行ってもよい。
人工地山３０ａ，３０ｂ，３０ｃ，３０ｄの施工に際しては、最初に、保護壁部３１ａ，３１ｂ，３１ｃ，３１ｄのための基礎コンクリート３３ａ，３３ｂを打設する。次に、基礎コンクリート３３ａ，３３ｂ上に一回のソイルセメントの打設分の高さに相当する人工地山３０ａ，３０ｂ，３０ｃ，３０ｄの保護壁部３１ａ，３１ｂ，３１ｃ，３１ｄを構築する。より具体的には、保護壁部３１ａ，３１ｂ，３１ｃ，３１ｄの連結片を、非越流部１０ａ，１０ｂの各壁部の連結片にボルト及びナットにより連結して、各壁部と河川の岸と保護壁部３１ａ，３１ｂ，３１ｃ，３１ｄとの間に所定の空間を形成する。その後、形成された空間に中詰材３２ａ，３２ｂ，３２ｃ，３２ｄを打設して、敷き均して締め固める。つまり、保護壁部３１ａ，３１ｂ，３１ｃ，３１ｄは、人工地山３０ａ，３０ｂ，３０ｃ，３０ｄをソイルセメントにより構築する際に型枠としても用いられる。
この作業を所定の高さまで繰り返して段状の人工地山３０ａ，３０ｂ，３０ｃ，３０ｄを構築していく。
【００３４】
［作用・効果］
以上のような構造の砂防堰堤１００によれば、袖部に人工地山３０ａ，３０ｂ，３０ｃ，３０ｄを設け、人工地山３０ａ，３０ｂ，３０ｃ，３０ｄを保護壁部３１ａ，３１ｂ，３１ｃ，３１ｄにより覆うことで、砂防堰堤１００の袖部を河川の両岸の地盤に埋設させなくても砂防堰堤１００の袖部に必要な強度を確保することができる。保護壁部３１ａ，３１ｂ，３１ｃ，３１ｄは、人工地山３０ａ，３０ｂ，３０ｃ，３０ｄを製作する際に型枠としての機能を有するので、人工地山３０ａ，３０ｂ，３０ｃ，３０ｄを転圧するための重機施工を必要とする流動性のないソイルセメントを用いることができるのはもちろんのこと、例えば狭隘な施工スペースにおいては、流動性のあるソイルセメントを用いることができる。さらに、保護壁部３１ａ，３１ｂ，３１ｃ，３１ｄは、転圧による内的な荷重や、土石流等の外的な荷重に対する補強部材としての機能も備える。また、砂防堰堤１００の施工場所において袖部の埋設のための地盤の掘削作業を省き、かつ砂防堰堤１００において埋設する部分を節約することができるので、全体として使用する材料は減じられ、かつ施工時間は短縮されるので、施工コストを低減することができる。
【００３５】
また、人工地山３０ａ，３０ｂ，３０ｃ，３０ｄの中詰材３２ａ，３２ｂ，３２ｃ，３２ｄ、及び上流壁部１ａ，１ｂと下流壁部２ａ，２ｂとの間に打設されているソイルセメントを互いに同じ仕様とすることにより、材料の違いによる施工ミス等を防ぐことができ施工管理が容易になる。
【００３６】
また、人工地山３０ａ，３０ｂ，３０ｃ，３０ｄを段状に形成することにより、人工地山３０ａ，３０ｂ，３０ｃ，３０ｄの専有範囲を最小限に抑えることができ、河川の対岸における人工地山との間に、例えば土石流を捕捉する大きな貯砂空間Ｓ１を確保することができる。
【００３７】
［その他］
上流壁部１ａ，１ｂ及び下流壁部２ａ，２ｂ、湾曲壁部４ａ，４ｂは、施工完了時に法面を有しておらず、鉛直方向に延在する面を有していてもよい。
【００３８】
２．第２の実施の形態
次に、本発明の第２の実施の形態について説明する。第２の実施の形態が第１の実施の形態と異なる点は、人工地山の構成であるため、以下では、人工地山の構成についてのみ説明し、第１の実施の形態と同じ構成については、同一符号を付して説明を省略する。
【００３９】
図４は、第２の実施の形態に係る砂防堰堤２００の斜視図である。人工地山２３０ａ，２３０ｂ，２３０ｃ，２３０ｄの保護壁部２３１ａ，２３１ｂ，２３１ｃ，２３１ｄはそれぞれ、各壁部に連結する連結部２３２ａ，２３２ｂ，２３２ｃ，２３２ｄと、河川の岸に連なる接続部２３３ａ，２３３ｂ，２３３ｃ，２３３ｄと、連結部２３２ａ，２３２ｂ，２３２ｃ，２３２ｄと接続部２３３ａ，２３３ｂ，２３３ｃ，２３３ｄを連結する湾曲部２３４ａ，２３４ｂ，２３４ｃ，２３４ｄとを備えている。
【００４０】
連結部２３２ａ，２３２ｂ，２３２ｃ，２３３ｄは、断面が波形状に形成された矩形板状の鋼板パネルを複数枚連結することによって構築されている。鋼板パネルは、鋼板、該鋼板の周縁に沿って設置された補強リブ、相互の接続に供するためのフランジ等を有しており、フランジには相互の接続に供するボルト貫通孔が形成されている。このフランジは、後述する湾曲部２３４ａ，２３４ｂ，２３４ｃ，２３４ｄとの連結にも用いられる。各壁部に連結する鋼板パネルの連結部２３２ａ，２３２ｂ，２３２ｃ，２３２ｄの端縁には、フランジの代わりに各壁部に設けられた連結片と連結するための連結片が設けられている。連結部２３２ａ，２３２ｂ，２３２ｃ，２３２ｄの連結片には、各壁部の連結片との接続に供するボルト貫通孔が形成されている。
【００４１】
接続部２３３ａ，２３３ｂ，２３３ｃ，２３３ｄは、断面が波形状に形成された矩形板状の鋼板パネルを複数枚連結することによって構築されている。鋼板パネルは、鋼板、該鋼板の周縁に沿って設置された補強リブ、相互の接続に供するためのフランジ等を有しており、フランジには相互の接続に供するボルト貫通孔が形成されている。このフランジは、後述する湾曲部２３４ａ，２３４ｂ，２３４ｃ，２３４ｄとの連結にも用いられる。
鋼板パネル同士は、ボルト及びナットで連結されており、その繋ぎ目にはシールテープ等が貼り付けられて止水されていてもよい。連結部２３２ａ，２３２ｂ，２３２ｃ，２３２ｄ及び接続部２３３ａ，２３３ｂ，２３３ｃ，２３３ｄを構成する鋼板パネルは、それぞれが波形状に形成されているものの、保護壁部２３０ａ，２３０ｂ，２３０ｃ，２３０ｄ全体として見た際に略平面状に形成されている。連結部２３２ａ，２３２ｂ，２３２ｃ，２３２ｄ及び接続部２３３ａ，２３３ｂ，２３３ｃ，２３３ｄは、上端から下端に向かって鉛直に構築されている。
【００４２】
湾曲部２３４ａ，２３４ｂ，２３４ｃ，２３４ｄは、少なくとも一部が曲面状に形成されている。
湾曲部２３４ａ，２３４ｂ，２３４ｃ，２３４ｄを形成する鋼板パネルは、鋼板と、該鋼板の周縁に沿って設置された補強リブや相互の接続に供するためのフランジとを有し、鉛直方向に配置される一対のフランジは直線状の板材で、水平方向に配置される一対のフランジは平面視で円弧状の板材である。
湾曲部２３４ａ，２３４ｂ，２３４ｃ，２３４ｄは、上端から下端に向かって鉛直に構築されている。
湾曲部２３４ａ，２３４ｂ，２３４ｃ，２３４ｄは、断面が円弧状に形成された鋼板パネルの上縁及び下縁が湾曲部の法面に対して直角をなすように積み重ねられて構築されている。すなわち、湾曲部２３４ａ，２３４ｂ，２３４ｃ，２３４ｄを施工する領域を法面に対して直角となる方向に沿って区分けして積み重ねていく。
【００４３】
なお、人工地山２３０ａ，２３０ｂ，２３０ｃ，２３０ｄは必ずしも鉛直に構築されている必要はなく、人工地山２３０ａ，２３０ｂ，２３０ｃ，２３０ｄの上端から下端に向かうにつれて上流側または下流側に向けて下方に傾斜する法面が形成されるように構築されていてもよい。
【００４４】
３．第３の実施の形態
次に、本発明の第３の実施の形態について説明する。第３の実施の形態が上述の２つの実施の形態と異なる点は、人工地山の構成であるため、以下では、人工地山の構成についてのみ説明し、上述の実施の形態と同じ構成については、同一符号を付して説明を省略する。
【００４５】
図５は、第３の実施の形態に係る砂防堰堤３００の斜視図である。人工地山３３０ａ，３３０ｂ，３３０ｃ，３３０ｄは、保護壁部３３１ａ，３３１ｂ，３３１ｃ，３３１ｄを備えている。
保護壁部３３１ａ，３３１ｂ，３３１ｃ，３３１ｄは、その外面が非越流部１０ａ，１０ｂの上流壁部１ａ，１ｂ及び下流壁部２ａ，２ｂから河川の岸に向かってまっすぐ延びる平面状に形成されており、保護壁部３３１ａ，３３１ｂ，３３１ｃ，３３１ｄと非越流部１０ａ，１０ｂの上流壁部１ａ，１ｂ及び下流壁部２ａ，２ｂとの間には中詰材３２ａ，３２ｂ，３２ｃ，３２ｄが打設されている。
保護壁部３３１ａ，３３１ｂ，３３１ｃ，３３１ｄは、断面が波形状に形成された矩形板状の鋼板パネルを複数枚連結することによって構築されている。鋼板パネルは、鋼板、該鋼板の周縁に沿って設置された補強リブ、相互の接続に供するためのフランジ等を有しており、フランジには相互の接続に供するボルト貫通孔が形成されている。
また、鋼板パネル同士は、ボルト及びナットで連結されており、その繋ぎ目にはシールテープ等が貼り付けられて止水されていてもよい。保護壁部３３１ａ，３３１ｂ，３３１ｃ，３３１ｄを構成する鋼板パネルは、それぞれが波形状に形成されているものの、保護壁部３３１ａ，３３１ｂ，３３１ｃ，３３１ｄ全体として見た際に略平面状に形成されている。保護壁部３３１ａ，３３１ｂ，３３１ｃ，３３１ｄは、その上端から下端に向かうにつれて上流側または下流側に向けて下方に傾斜する法面が形成されるように構築されている。
なお、人工地山３３０ａ，３３０ｂ，３３０ｃ，３３０ｄには必ずしも法面が形成されている必要はなく、人工地山３３０ａ，３３０ｂ，３３０ｃ，３３０ｄはその上端から下端に向かって鉛直に構築されていてもよい。
【００４６】
４．第４の実施の形態
次に、本発明の第４の実施の形態について説明する。以下では、第４の実施の形態が上記の３つの実施の形態と異なる点のみ説明し、上述の実施の形態と同じ構成については、同一符号を付して説明を省略する。
【００４７】
図６は、第４の実施の形態に係る砂防堰堤４００の斜視図であり、天端保護部材６ａ，６ｂを部分的に取り除いた。砂防堰堤４００の非越流部４１０ａ，４１０ｂの上流側及び下流側を臨む壁は、部分的に人工地山４３０ａ，４３０ｂ，４３０ｃ，４３０ｄによって構築されている。より具体的には、非越流部４１０ａ，４１０ｂの上流壁部１ａ，１ｂ及び下流壁部２ａ，２ｂはそれぞれ、河川の岸から所定の間隔だけ離間されており、岸側の各壁部の終端部に人工地山４３０ａ，４３０ｂ，４３０ｃ，４３０ｄの保護壁部４３１ａ，４３１ｂ，４３１ｃ，４３１ｄが連結されて、岸まで延在している。これにより、非越流部４１０ａ，４１０ｂの上流壁部１ａ，１ｂ及び下流壁部２ａ，２ｂに囲まれる空間と保護壁部４３１ａ，４３１ｂ，４３１ｃ，４３１ｄに囲まれる空間が連通されることになる。従って、砂防堰堤４００の中詰材５を人工地山４３０ａ，４３０ｂ，４３０ｃ，４３０ｄの中詰材としても用いることができ、中詰材の打設を一気に行うことができる。言い換えると、砂防堰堤３００本体と人工地山４３０ａ，４３０ｂ，４３０ｃ，４３０ｄとを一体に構築することができる。
また、この実施の形態においては、砂防堰堤４００に必要な強度を確保するために、非越流部４１０ａ，４１０ｂの各壁部を構成する鋼板パネルを保護壁部４３１ａ，４３１ｂ，４３１ｃ，４３１ｄにも使用することが好ましい。
なお、人工地山４３０ａ，４３０ｂ，４３０ｃ，４３０ｄの構成は、上述のいずれかの実施の形態における人工地山の構成を採用することができる。
【００４８】
［作用、効果］
非越流部４１０ａ，４１０ｂの上流側及び下流側を臨む壁を部分的に人工地山４３０ａ，４３０ｂ，４３０ｃ，４３０ｄで構築するので、砂防堰堤４００の構造の一体性と、施工効率の向上を図ることができる。
【００４９】
［変形例］
図７は、本発明に係る砂防堰堤の変化例を示す図であり、砂防堰堤５００の斜視図である。
砂防堰堤５００と、上記の砂防堰堤１００，２００，３００、４００との相違点は、砂防堰堤５００は透過部の代わりに越流部５２０を備えている点にあり、砂防堰堤５００は、基礎コンクリート５１１ａ上に設置された非越流部５１０と、人工地山３０ａ，３０ｂ，３０ｃ，３０ｄと、を備えている。なお、人工地山３０ａ，３０ｂ，３０ｃ，３０ｄに関しては、図１の人工地山と同じ構成であるため、同一符号を付して説明を省略する。
図７に示すように、非越流部５１０は、河川の岸と岸との間を、越流部５２０を介して連続して延在しており、非越流部５１０の上流側は上流壁部４１で構成されており、非越
流部５１０の下流側は下流壁部４２で構成されている。つまり、砂防堰堤５００においては、側壁部及び湾曲壁部も設けられていない。非越流部５１０が両岸の間を連続して延在していることに伴い、天端保護材４６も同様に両岸の間を連続して延在している。
なお、人工地山３０ａ，３０ｂ，３０ｃ，３０ｄの構成は、図示の構成に限定されず、図４、図５及び図６に描いた人工地山の構成を採用することもできる。
【符号の説明】
【００５０】
１ａ，１ｂ  上流壁部
２ａ，２ｂ  下流壁部
５  中詰材
１０ａ，１０ｂ  非越流部
２０  透過部
３０ａ，３０ｂ，３０ｃ，３０ｄ  人工地山
３１ａ，３１ｂ，３１ｃ，３１ｄ  保護壁部
３２ａ，３２ｂ，３２ｃ，３２ｄ  中詰材
【図１】
0006637305.tif 000002
【図２】
0006637305.tif 000003
【図３】
0006637305.tif 000004
【図４】
0006637305.tif 000005
【図５】
0006637305.tif 000006
【図６】
0006637305.tif 000007
【図７】
0006637305.tif 000008
【図８】
0006637305.tif 000009